Podtech/llm-jp-corpus-v4-ja_patent huggingface dataset:
(57)【要約】【課題】            水着胸部に位置する前ファスナーを緩めた場合でも肌が露出しない水着を提供することを目的とする。【解決手段】        伸縮性を有する素材で構成される水着において、前身頃の胸部にファスナーを設け、前記ファスナーの上端部は水着本体部の襟ぐり部に達すると共に、前記ファスナーを構成する一対のファスナー片の間にマチを配置したことを特徴とする水着である。これにより、ファスナーを開けばマチの幅分だけ胸部分の周方向の長さを長くすることができ、またマチを配置することによって、ファスナーを緩めた場合でも肌が露出することはない。【選択図】          図２
2006022416.tif 000002
【特許請求の範囲】
【請求項１】
伸縮性を有する素材で構成される水着において、前身頃の胸部にファスナーを設け、前記ファスナーの上端部は水着本体部の襟ぐり部に達すると共に、前記ファスナーを構成する一対のファスナー片の間にマチを配置したことを特徴とする水着。
【発明の詳細な説明】
【技術分野】
【０００１】
本発明は、胸部の締め付けの度合いを調整可能とした水着に関するものである。
【背景技術】
【０００２】
従来より、各種の水着やレオタードにおいては、主に着脱を容易にする目的で、例えば特許文献１に記載のように、前布側に開閉自在となる前ファスナーを設けた胸開き構造が知られている。
【特許文献１】実開平７−６２２５号公報
【発明の開示】
【発明が解決しようとする課題】
【０００３】
しかしながら、前記特許文献１に記載の水着では、前ファスナーはあくまでも着脱を容易にする目的で設けられており、水着を着用中にファスナーを緩めた場合には、胸元の肌が露出するという不具合があった。
そこで本発明は、上記課題を解決し、前ファスナーを緩めた場合でも肌が露出しない水着を提供することを目的とする。
【課題を解決するための手段】
【０００４】
前記目的を達成するために、本発明に係る水着は、伸縮性を有する素材で構成される水着において、前身頃の胸部にファスナーを設け、前記ファスナーの上端部は水着本体部の襟ぐり部に達すると共に、前記ファスナーを構成する一対のファスナー片の間にマチを配置したことを特徴とする水着である。
【発明の効果】
【０００５】
本発明に係る水着によれば、前記ファスナーの上端部が水着本体部の襟ぐり部に達するように前身頃の胸部にファスナーを設けることで、ファスナーの開閉によって胸部の締め付けを調整できると共に、ファスナーを構成する一対のファスナー片の間にマチを配置することでファスナーを開けばマチの幅分だけ胸部分の周方向の長さを長くすることができ、またマチを配置することによって、ファスナーを緩めた場合でも肌が露出することはない。
【発明を実施するための最良の形態】
【０００６】
以下、本発明の実施の形態について説明する。
図１及び図２は本発明に係る水着の実施の形態の一例を示す正面図であり、図１はファスナーを閉じた状態、図２はファスナーを開いた状態を示している。
【０００７】
本発明に係る水着１では胸部にファスナー２を設け、ファスナー２を構成する一対のファスナー片２１の間にマチ３を配置している。ファスナー片２１及びマチ３は縫着又は接着によって水着本体部と一体化されている。縫着方法及び接着方法については後述する。
このように構成することで、ファスナー２を開けばマチ３の幅分だけ胸部分の周方向の長さを長くすることができる。
【０００８】
ファスナー２を設ける位置に関しては、ファスナーの上端部２２が水着本体部の襟ぐり部１１に達しており、ファスナーの開閉により胸部の締め付けが調整可能な範囲であれば特に限定はされない。ファスナーを設ける方向に関しては、図１及び図２では開閉方向が縦方向となるように配置したが、斜め方向であってもよい。
また、ファスナーの形状は特に限定されるものではなく、エスロンファスナー、コイルファスナー等を用いることができる。また面ファスナー、ボタン、フックなどファスナー以外の開閉治具を用いることも可能である。
ファスナーの縦方向の長さは、特に限定されるものではないが、１０ｃｍ〜２０ｃｍであることが好ましい。
【０００９】
マチ３に用いる生地は、後述する水着本体と同質の素材、もしくは水着本体部よりも薄手の生地が好ましい。薄手の生地であればファスナーを閉める際の収容が容易であるからである。
ファスナーを開けた際に胸部の締め付けを充分に緩めるためには、マチの上端部３１の幅は３ｃｍ〜１０ｃｍであることが好ましい。
【００１０】
本発明の水着本体に用いられる素材は、通常の水着に用いられる素材と同様に縦横方向に伸縮性のある布地が好ましく、特に組成や組織を限定するものではないが、丸編機で編成した天竺等の丸編ニット生地、トリコット、ラッセル編機で編成したハーフトリコット、パワーネット等の経編ニット生地等のニット生地で、ポリウレタン糸等の伸縮性を有する糸を少なくとも一部に使用しているものが好ましい。動きやすさに影響するストレッチ性と生地薄さ等を考慮するとトリコット地がより好ましい。
【００１１】
本発明に係る水着では、水着の形成に用いる各部材（生地素材及びファスナー）を、縫着又は接着によって一体化して水着を形成している。
縫着方法としては、縫目もストレッチ性を有する、１本針オーバーロック、２本針オーバーロック、インターロック、フラットシーマ、フラットロック等の縫目を形成するミシンを採用するのが望ましい。
接着方法としては、一体化したい二種類の生地（部材）にのりしろを設け、熱によって融解し、冷却後生地に浸透して凝固するポリウレタン製の熱融解性のシームテープをのりしろの生地の間にはさみ、熱プレスすることで生地を接着できる熱圧着法があげられるが、縫着同様のりしろにストレッチ性をもたせ、着用時の違和感をなくすことが望ましい。
【００１２】
本発明に係る水着は、前身頃の胸部にファスナーを有した水着であれば良く、本発明の目的が達成される範囲内であれば、水着本体部分の形状は限定されるものではなく、上半身部分が袖部を有していてもよいし、下半身部分が膝上、膝下、または足首まで覆うように形成されていてもよい。
また、本発明は水着に限らず、レオタード、ボディスーツ、及びその他のタイツ類などのように着用者の体にフィットする上衣に用いることができる。
【図面の簡単な説明】
【００１３】
【図１】図１は、本発明に係る水着の正面図（ファスナーを閉じた状態）である。
【図２】図２は、本発明に係る水着の正面図（ファスナーを開いた状態）である。
【符号の説明】
【００１４】
１    水着
１１  襟ぐり部
２    ファスナー
２１  ファスナー片
２２  上端部
３    マチ
３１  上端部
【図１】
2006022416.tif 000003
【図２】
2006022416.tif 000004
(57)【要約】      （修正有）【課題】乳幼児や手の不自由な人、病人などの食事時に、床やじゅうたんに食べ物を落とさないように捕集するエプロンを提供する。【解決手段】少なくとも首に対する固定部を有する平面状のエプロンの、下外周部に針金通し部を設け、腹部からすそ部分まで長方形にかたどった針金を入れ、テーブルや椅子の高さに合わせてその針金を折り曲げて、食べ物を捕集する。【選択図】図２
2006022457.tif 000002
【特許請求の範囲】
【請求項１】
少なくとも首に対する固定部を有する平面状のエプロンの枠に針金を入れ、その針金をＵ字型に折り曲げることで、食べ物を下に落とさないように、エプロン上に捕集する形状となることを特徴とするエプロン。
【発明の詳細な説明】
【技術分野】
【０００１】  本発明は、食事時の衣類の汚れ防止と、床やじゅうたんに食べ物が落ちないようにするための、エプロンに関するものである。
【背景技術】
【０００２】  従来、エプロンの表下部にポケットをつけたものや、エプロンの下端部の両側部に、テーブルへの仮着具が備えられたものだったため、皿から口に運ぶ間に落としたり、立ったり座ったり移動したりする事が困難なものだった。
【発明の開示】
【発明が解決しようとする課題】
【０００３】  そのために、次のような問題があった。
（イ）乳幼児や手の不自由な人、病人などは皿から口に入れる間に、床やじゅうたんに食べ物を落としがちだったため、掃除が大変だった。
（ロ）床やじゅうたんに落ちた食べ物は、衛生上食べられず、無駄にしていた。
本発明は、これらの問題点を解決するためになされたものである。
【課題を解決するための手段】
【０００４】  少なくとも首に対する固定部を有する平面状のエプロンの、下外周部に針金通し部を設け、腹部からすそ部分まで長方形にかたどった針金を入れ、テーブルや椅子の高さに合わせてその針金を折り曲げて、食べ物を捕集する。以上を特徴とするエプロンである。
【発明の効果】
【０００５】  本発明は、食事時床やじゅうたんに食べ物を落とさず、効率的にエプロン上に捕集する。したがって、掃除の手間がはぶける。
【発明を実施するための最良の形態】
【０００６】  以下、本発明の実施の形態を説明する。
（イ）防水シートよりなるエプロン本体（１）の、下外周部に針金通し部（３）を設ける。
（ロ）防水シートよりなるエプロン本体（１）の、腹部に横一線の針金通し部（２）をつける。
（ハ）腹部の枠（２）と、下外周部の枠（３）に針金（４）をいれる。
（二）エプロン本体（１）の下外周部の枠（３）部分に、Ｕ字型に切り取り伸縮性をつけた布（５）を、つける。
本発明は、以上の構成よりなりたっている。
本発明は使用時、上記のエプロンを装着し、テーブルと椅子の高さに合わせて、針金部分を自由な所で曲げて、Ｕ字型にする。この結果、食べ物が床やじゅうたんに落ちない。
【図面の簡単な説明】
【０００７】
【図１】  本発明の斜視図
【図２】  本発明の使用状態を示す斜視図
【符号の説明】
【０００８】  １    エプロン本体
２    腹部の枠
３    下外周部の枠
４    針金
５    Ｕ字型の布
【図１】
2006022457.tif 000003
【図２】
2006022457.tif 000004
(57)【要約】【課題】病院などでの人工透析に用いるパジャマの形状はとても作業がしにくく、透析の度にパジャマをまくったり腕を出したりしなければいけなかった。【解決手段】パジャマに、透析用開閉口を設けて、その部分にマジックテープ等を設ける３である。【選択図】図１
2006022459.tif 000002
【特許請求の範囲】
【請求項１】
パジャマの袖に、鉤型に開閉を設けたことを特徴とする。
【請求項２】
前記、パジャマは開閉箇所をマジックテープで、開閉することを特徴とする請求項１記載のパジャマ。
【発明の詳細な説明】
【技術分野】
【０００１】  この発明は、病院等での透析の時に用いる、パジャマの形状に関する。
【背景技術】
【０００２】  従来の病院等の透析に用いるパジャマの形状は、未だかつて使用されていない。だが、図１の示すようにマジックテープでの開閉口が設けられたものである。
【発明の開示】
【発明が解決しようとする課題】
【０００３】しかしながら、以上の技術によれば、長時間の透析の時に長袖のパジャマの場合、まくり上げて締め付けられたり、半袖の場合、腕が冷えてきたりする。
そこで、この発明は、透析がしやすく、患者の苦痛をやわらげる事を提供することを課題とする。
【課題を解決するための手段】
【０００４】  以上の課題を解決するために、第一発明は、袖に鉤型開閉口を設けたことを特徴とする、人工透析用パジャマである。
また、第二発明は、パジャマに開閉口を設け、この開閉口はマジックテープで開閉することを特徴とする。
【発明の効果】
【０００５】  第一発明、第二発明によれば、パジャマの袖に鉤型の開閉口を設けた事により、病院等での透析治療がしやすく、患者の違和感が緩和される。
【発明を実施するための最良の形態】
【０００６】  この発明の一実施形態を、図１に示す。
この人工透析用パジャマの本体は布製であり、この本体１両袖に布製の開閉口が、鉤型に設けられている。この開閉口には、マジックテープが設けられている。パジャマ本体は、ワンピース型でも良い。【０００７】「実施形態の効果」
この実施形態によれば、このマジックテープの働きで人工透析をするとき、しやすい。したがって、患者さんの苦痛が少なく、開閉がマジックテープなので簡単である。ファスナー等による、肌に感じる冷たさなども、布そのものだから違和感も少ない。【０００８】「他の実施形態」
図１の実施形態では、開閉時は何ヶ所かのマジックテープであったが、他の実施形態では、肌に触れないようにする。ファスナー形式を設けたものでも良い。
【図面の簡単な説明】
【０００９】
【図１】この発明の一実施形態を示す斜視図である。
【図２】従来技術を示す斜視図である。
【符号の説明】
【００１０】    １、パジャマ本体
２、人工透析用開閉口
３、マジックテープ
【図１】
2006022459.tif 000003
【図２】
2006022459.tif 000004
(57)【要約】【課題】カーペットのパイルの長さをほぼ均一にできるルーパを提供することである。【解決手段】ルーパ１０のフックスロート部１３の下向きエッヂ１４に滑らかな波形凹凸を形成し、フックスロート部１３で引掛けて形成するループパイルに適当な抵抗を発生させ、一個所に片寄らないようにしたのである。【選択図】図１
2006022410.tif 000002
【特許請求の範囲】
【請求項１】
フックスロート部の下向きエッヂの全長または一部に、波形凹凸を形成したタフティング機のルーパ。
【請求項２】
前記波形凹凸のピッチ及び高さを均一にした請求項１に記載のタフティング機のルーパ。
【請求項３】
前記波形凹凸のピッチ及び高さのいずれかまたは両方を不均一にした請求項１に記載のタフティング機のルーパ。
【請求項４】
前記波形凹凸のピッチが約０．０１〜６ｍｍ、高さが約０．０１〜２ｍｍである請求項１〜３のいずれかに記載のタフティング機のルーパ。
【発明の詳細な説明】
【技術分野】
【０００１】
この発明は、カーペットを製造するタフティング機のルーパに関する。
【背景技術】
【０００２】
図５に示すように、従来のルーパ１は、フックスロート部２の内側エッヂ３が直線的になっているため、基布Ａが矢印方向に送られかつルーパ１が前後動する相対的な動きによって、基布Ａに突き刺されたループＢの先端がエッヂ３に沿って奥へ滑る傾向がある。このような糸の状態により、ナイフＣでループＢを切断したとき、一定の場所で切断されず、カットパイルの長さＳが不揃いになる問題があり、後の剪毛工程で刈揃え糸のロスが多く発生する。又ナイフＣでループＢを切断するとき、ナイフＣとルーパ１のシア刃角Ｄにより押出され、ループＢが滑って前へ逃げ、ループＢが右方向（前）へ押し出され一定位置で切断されず、半切断やミス・カットが生じ２度切り引きちぎりによる傷がカーペット表面に生じている。特に、残留延伸度のないものや通常のタフト糸に比較して大幅に少ない例えば人工芝用パイル、天然繊維糸、太いモノフィラメントなどは、通常の平坦なルーパエッヂでは、一定位置で揃うカットがとりわけ困難で、不良品の多量発生や、場合によってはタフティングが不可能なこともあった。
【発明の開示】
【発明が解決しようとする課題】
【０００３】
そこで、この発明の課題は、カットパイルの長さがほぼ均一になり、また半切やミス・カットを防ぎ確実に一気に定位置でパイルを切断できるようなルーパを提供することである。
【課題を解決するための手段】
【０００４】
上記の課題を解決するために、この発明においては、ルーパのフックスロート部の下向きエッヂの全長または一部に、波形凹凸を形成したのである。上記波形凹凸の高さを均一にしておくのが好ましい場合と不均一でよい場合がある。波形凹凸のピッチは約０．０１〜６ｍｍ、高さは約０．０１〜２ｍｍが好ましい。
【発明の効果】
【０００５】
この発明によれば、以上のように、ルーパのフックスロート部のエッヂに、波形の凹凸を設けたので、フックスロート部によって引掛けたループパイルに適当な抵抗が発生し、ルーパの相対移動によって一個所に片寄ってしまうようなことがなく、均等な長さのループパイルが形成され、またループパイルを切断する際にも、滑りや逃げを防止し、一定位置で確実に切断できるため、単糸デニールの太いもの、モノフィラメント糸、フィラメント糸、テープヤーンや天然繊維等々従来タフティングが困難な糸をスムーズにカットできる効果が非常に大きい。
【発明を実施するための最良の形態】
【０００６】
以下、この発明の実施形態を図１乃至図４に基づいて説明する。図１に示すように、この発明のルーパ１０は、後述するルーパブロックに支持される基部１１と、この基部１１からほぼ直角に上方に延びる首部１２と、この首部１２からほぼ水平に延びるフックスロート部１３より成り、このフックスロート部１３の下向きのエッヂ１４には、エッヂ１４の全長または一部にわたって延びる滑らかな波形凹凸が形成されている。この波形凹凸のピッチｐ及び高さｈは均一にしておくのが普通であるが、例えばエッヂ１４の先端方向にピッチｐ及び高さｈのいずれかまたは両方が小さくなるように不均一にしてもよい。波形凹凸の高さｈは約０．０１〜２ｍｍ、ピッチｐの長さは約０．０１〜６ｍｍ程度が好ましい。
【０００７】
この発明のルーパ１０は、上記のような構造であって、このルーパ１０を図２に示すように、タフティング機のルーパブロックＨ（“モールド式”の場合は直接ルーパバーＬＢ）に取り付け、ルーパブロックＨの前後動とナイフＣの上下動さらにニードルＮの上下動を同期させて、矢印方向に移動する基布ＡにループパイルＢを形成し、ルーパ１０を後退させた図の実線位置でナイフＣを上昇させてパイルＢを切断し、カットパイルを作製する。このとき、図３に示すようにルーパ１０のエッヂ１４に設けた波形凹凸がパイルＢに適当な抵抗を与えるため、ナイフＣのシア角ＤによってもパイルＢが一方に片寄ったり逃げることがなく、一定位置で確実かつスムーズに切断され、均一な長さのカットパイルが出来上る。
【０００８】
ルーパ１０の形状、構造は図１に限らない。図４（イ）に示すように、基部１１が下方に延びるもの、図４（ロ）に示すように、基部１１に設けた溝１８に沿ってバネ１６を設けたもの、図４（ハ）に示すように、基部１１の前端に、フックスロート部１３との間でループパイルを挟み込むクリップ１７を設けたものなど、タフティング機に用いられるいかなる形状のルーパにも適用することができる。また、５〜２０枚のルーパをモールド一体化したモールドモジュラタイプのものでもよい。
【図面の簡単な説明】
【０００９】
【図１】この発明のルーパの一例を示す側面図
【図２】ルーパをタフティング機に取り付けた一例を示す要部拡大側面図
【図３】この発明のルーパの作用を示す要部拡大側面図
【図４】ルーパの他の例を示す側面図
【図５】従来のルーパの作用を示す要部拡大側面図
【符号の説明】
【００１０】
１  ルーパ
２  フックスロート部
３  下向きエッヂ
１０  ルーパ
１１  基部
１２  首部
１３  フックスロート部
１４  下向きエッヂ
１６  バネ
１７  クリップ
１８  溝
Ａ  基布
Ｂ  ループパイル
Ｃ  ナイフ
Ｄ  シア角
Ｈ  ルーパブロック
Ｎ  ニードル
ＬＢ  ルーパバー
Ｓ  パイル長
ｐ  ピッチ
ｈ  高さ
【図１】
2006022410.tif 000003
【図２】
2006022410.tif 000004
【図３】
2006022410.tif 000005
【図４】
2006022410.tif 000006
【図５】
2006022410.tif 000007
(57)【要約】【課題】本発明は、このような水平方向の強化を図る新規な方法を提案するものであり、特に特開平10-252108に開示されたタイプの槽に適用される水平補強方法の提案である。【解決手段】本発明は、十字形などの平面形状を有する盤体と当該盤体の中央部に設けた筒体からなる土木用資材を配置した配置物を地下に埋設し地下空間を確保する方法において、前記地下空間の外周を形成する土木用資材を他の土木用資材と区分した外周空間とし、当該外周空間に砕石などを充填し、前記配置物の水平強度を高めた配置物である。【選択図】図1
2006022475.tif 000002
【特許請求の範囲】
【請求項１】
矩形の平面の四隅を切り欠いた形状を有する盤体と当該盤体の中央部に設けた筒体からなる土木用資材を配置した配置物を地下に埋設して地下空間を確保する方法において、前記地下空間の外周を形成する土木用資材を他の土木用資材と区分した外周空間とし、当該外周空間に砕石などを充填し、前記配置物の水平強度を高めたことを特徴とする配置物。
【発明の詳細な説明】
【技術分野】
【０００１】
本発明は、雨水貯留浸透槽あるいは軽量盛土に関する技術に属する。
【背景技術】
【０００２】
雨水の流出抑制を目的として、プラスチックなどで製造された容器状あるいはパイプ状部材その他を地下に配置し、貯留空間を確保して雨水を一時的に貯留する貯留浸透施設が普及している。この目的のために各種の形状の部材が、例えば特開昭62-101097、特開昭62-126179、特開平9-296486、特開平11-43971、特開平10-115778、特開平10-252108などに提案かつ使用されている。いずれの方法も部材を配置し、使用する部材の形状と必要に応じて継ぎ手などで接続し、その周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み、槽内に雨水を受け入れた後、徐々に下水あるいは河川に放流することが行われている。これら部材は、また軽量盛土材その他としての用途が提案されている。
【０００３】
これら部材は通常の用途に対し十分に使用に耐えるものであるが、地下水位が高く水圧がかかる場所などに設置する場合には水平方向からかかる土圧に対し不十分な場合がある。特開2000-326722、特開2000-381582には、水平土圧を軽減するため槽の側面に底部に向かって狭くなるように傾斜を設けるあるいは特開平10-252108に開示されたタイプの槽においては水平補強材を追加するなどの方法がある。
【０００４】
【特許文献１】特開昭62-101097
【特許文献２】特開昭62-126179
【特許文献３】特開平9-296486
【特許文献４】特開平11-43971
【特許文献５】特開平10-115778
【特許文献６】特開平10-252108
【特許文献７】特開2000-326722
【特許文献８】特開2000-381582
【発明の開示】
【発明が解決しようとする課題】
【０００５】
本発明は、このような水平方向の強化を図る新規な方法を提案するものであり、特に特開平10-252108に開示されたタイプの槽に適用される水平補強方法の提案である。
【課題を解決するための手段】
【０００６】
本発明は、矩形の平面の四隅を切り欠いた形状を有する盤体と当該盤体の中央部に設けた筒体からなる土木用資材を配置した配置物を地下に埋設して地下空間を確保する方法において、前記地下空間の外周を形成する土木用資材を他の土木用資材と区分した外周空間とし、当該外周空間に砕石などを充填し、前記配置物の水平強度を高めた配置物である。内部の土木用資材にまで水平土圧を伝播させないため、配置物の最外周を構成する土木用資材中に砕石を充填した。
【発明の効果】
【０００７】
本発明は、地下に設けた水槽、盛土などを構成する配置物のその外周を区画し砕石を充填するため、配置物の水平強度を高めることができる。
【発明を実施するための最良の形態】
【０００８】
以下本発明を図により詳細に説明する。
図1は、本第発明に使用する土木用資材の概念図である。図1に示したように、本土木用資材は上面が十字形を有する盤体と筒状部が一体化している。本例では筒状部は盤体に開口し底部に向かって狭くなるようにテーパが設けられている。さらに底部から開口部に向かって狭くなるようにテーパが設けられた内筒が設けられ、強度が高められるようになっている。本土木用資材はここに記載された形状に限らず正八角形など砕石が上部から充填できるよう開口部を生じる形状の盤体と筒状部が一体的に形成されたものであればさしつかえない。
【０００９】
図２は、上記土木用資材を配置した配置物の断面図の1例であり、図3は平面図の1例である。
図に示すように配置物はその外周に相当する土木用資材中に砕石が充填されている。配置物の周囲および上記外周囲を区画する部位に砕石がこぼれ出ないように隔壁が設けられている。
【００１０】
本配置物を流出抑制の目的のため地下水位の低い場所では透水性シートで覆い、透水槽として使用し、あるいは地下水位の高い場所では地下水が浸入しないよう遮水性シートで覆い、貯留槽として使用する。軟弱地盤などで軽量盛土として配置物中に土砂の浸入を防ぐため透水性シートを被せて使用することができる。
【００１１】
また図4の断面図に示すように、砕石を充填する土木用資材の配置を最外部から内側にかけて階段状とすることでより水平土圧のより一層の軽減が図れる。
【図面の簡単な説明】
【００１２】
【図１】本発明の配置物に使用する土木用資材の例を示す。
【図２】本発明の配置物の断面を示す概念図である。
【図３】本発明の配置物の平面を示す概念図である。
【図４】本発明の配置物の断面を示す他の概念図である。
【符号の説明】
【００１３】
１  土木用資材
２  盤体
３  筒状部
４  砕石
５  隔壁
【図１】
2006022475.tif 000003
【図２】
2006022475.tif 000004
【図３】
2006022475.tif 000005
【図４】
2006022475.tif 000006
(57)【要約】【課題】印章の簡便な使用と安全な収納、印章に関する情報の混乱を防ぐことが出来るようにすることにある。【解決手段】上蓋１１と中蓋１３と本体１７で構成され、本体部品１８の内側に差し込むカートリッジ１９に取り付けられたガイド部品２０により弾性部材２１とホルダー２２が印章を好適に固定し、印章を本体１７に収納した状態で本体を持ち、中蓋１３の上部に収納された朱肉などを使い捺印できる。本体や中蓋の内側に印章を保護する部材１６，２３を取り付け，本体に中蓋を装着したときには印章の全方位が保護できるようになる。ケースに可動部分２５，２６があり、通常の状態では見えないが動かすことにより現れる部分に印章に関する情報を繰り返し表記できることを特徴とする。【選択図】  図１
2006248611.tif 000002
【特許請求の範囲】
【請求項１】
筒状の印章ケースであり、蓋と本体で構成され、本体に取り付けられた部品と弾性部材が印章を好適に固定しており、蓋を外して本体を持ち、印章をケースから取り出すことなく捺すことが出来る印章ケースである。
【請求項２】
前記印章ケースは蓋と本体の内側に印章を保護する部材を取り付け、印章を安全に保管でき、朱肉などを収納する部分があることを特徴とする請求項１記載の印章ケース。
【請求項３】
前記印章ケースは可動部品が取り付けられ、通常の状態では隠されているが動かすことで現れる部分に情報を表記できる場所を有することを特徴とする請求項２記載の印章ケース。
【発明の詳細な説明】
【技術分野】
【０００１】本発明は、印章を収納する印章ケースに関する。
【背景技術】
【０００２】従来の印章ケースの多くは、ケース全体が開閉する形式（バネ等による）であり、印章を取り出す際の手許不用意による印章の落下破損の危険が常にあり、ケースが印章を保護する機能も不十分である。【０００３】印章を複数本所持・管理する場合など使途や使用目的などの情報の混乱（例えば、副印鑑の廃止による届出印と口座の不一致）や忘却に対処する有効な手段がない。
【発明の開示】
【発明が解決しようとする課題】
【０００４】本発明は、この様な点に鑑みて成されたものであり、その目的は、印章の簡便な使用と安全な収納、印章に関する情報（使途や使用目的など）の混乱や忘却に対処することが出来るようにすることにある。
【課題を解決するための手段】
【０００５】上述の目的を達成する本発明の印章ケースは、上蓋・中蓋・本体に分かれ、上蓋・中蓋を外し、筒状の本体に内蔵されたガイド部品と弾性部材で印章を好適に固定し、印章を取り出さず本体を持ち捺印でき、本体と中蓋の内側に印章を保護する部材を取り付け、印章を安全に収納ができることを特徴とする。【０００６】ケースに可動部分を取り付け、通常の状態では見えないが動かすことにより現れる部分に印章に関する情報を繰り返し表記できることを特徴とする。
【発明の効果】
【０００７】以上説明したように本発明によれば、上蓋・中蓋を外し、筒状の本体に内蔵されたガイド部品と弾性部材で印章を好適に固定し、本体に印章を収納したままで本体を持ち、中蓋に収納された朱肉などを用い捺印することが可能になり、印章の簡便な使用と収納の安全性を高めることができる。【０００８】通常では隠れた部分に情報を表記することにより第３者が情報を得る機会を少しでも少なくしつつ、情報の混乱（金融機関や生命・損害保険会社などの名称変更やペイオフ対策による取引先の増加）や忘却に対応することに極めて有効である。【０００９】本体や中蓋に取り付けた印章を保護する部材で印章の彫刻面や側面が保護されるので、印章と同一素材で作られる鞘と呼ばれるものが要らなくなり資源の節約と環境の保護に有効である。
【発明を実施するための最良の形態】
【００１０】以下、本発明の実施の形態を図面に基づき詳細に説明する。【００１１】図１〜図２は本発明の第１の実施の形態に係り、図１は上蓋と中蓋と本体の斜視図、図２は本体の平面図である。【００１２】図１、図２に示すように本印章ケースは、上蓋１１と中蓋１３と本体１７で構成され、本体部品１８の内側に差し込むカートリッジ１９に取り付けられたガイド部品２０により弾性部材２１とホルダー２２が印章を好適に固定し、印章を本体１７に収納した状態（外観的には、本体最上部より印章が約１ｃｍ程度現れて見える程度）で持ち、中蓋１３の上部に収納された朱肉などを使い捺印できる。【００１３】カートリッジ１９の内側側面に印章を保護できる部材２３と内側底面に捺印するのに好適な硬さの弾性部材２４を取り付け、中蓋１３の内側側面にも印章を保護できる部材１６を取り付ける。それにより、本体に中蓋を差し込んだときには印章の全方位が保護できるようになる。【００１４】本体１７には、可動な部品２５と２６があり、２５は本体部品１８から下方にスライドさせて外し裏側に、２６では回転させて現れる部分２７に表記できる場所を有する。昨今の状況から、取引先や契約先のめまぐるしい名称変更に対応すべく、繰り返し、表記できる素材が好ましい。【００１５】ガイド部品２０はカートリッジ１９に固定され、弾性部材２１（板バネ）の上部のみを固定しており、弾性部材２１（板バネ）の伸縮に連動するホルダー２２（弾性部材２１と一体）の移動で印章を保持し、弾性部材自体の伸縮の方向性を保っている。【００１６】以上、本発明の実施の形態及び実施例を説明したが、本発明の範囲はこれに限定されるものではない。例えば、弾性部材の数や形状・配設位置、可動部分の数や形状・取り付け位置など、適宜選択されるものである。【００１７】さらに、印章の形状により印章に接する部品にはそれに対応した形状にするなど限られるものではなく、その他例えば各部品においても、金属、合成樹脂、ゴム等、構造体として適当な任意の材質のものが利用でき、形状、大きさも任意に選定することができる。
【産業上の利用可能性】
【００１８】本発明は印章を使用、保護し収納する印章ケースを製造、販売する産業分野で利用することができる。
【図面の簡単な説明】
【００１９】
【図１】  本発明の第１の実施の形態に係る上蓋と中蓋と本体の斜視図である。
【図２】  図１の本体の平面図である。
【符号の説明】
【００２０】  １１，１２      上蓋
１３            中蓋
１４            上蓋に差し込む部分
１５            本体に差し込む部分
１６            印章を保護する部材
１７，１８      本体
１９            カートリッジ
２０            ガイド部品
２１            弾性部材
２２            ホルダー（印章を挟みこむ部品）
２３            印章を保護する部材
２４            弾性部材（本体内部底面）
２５            スライド部品（裏面が情報を表記する部分）
２６            回転部品
２７            情報を表記する部分
２８            本体と回転部品を精確に合わす為の回転部品上面の凹部
２９            本体と回転部品を精確に合わす為の本体外部底面の凸部
【図１】
2006248611.tif 000003
【図２】
2006248611.tif 000004
(57)【要約】【課題】  この発明は、最後の一口までおいしく缶飲料を飲め、簡単に装着、着脱ができ、自分の飲み物だとすぐわかる缶ホルダー【解決手段】  ウエット生地で筒型をつくり、これに缶を差し込み飲み続けることにより最後までおいしく飲む事が出来る。【選択図】  図１
2006248608.tif 000002
【特許請求の範囲】
【請求項１】
缶飲料を保温、保冷効果のあるウェット生地で覆ったことを特徴とするホルダー
【発明の詳細な説明】
【技術分野】
【０００１】  この発明は、缶飲料を飲む際、手に感じるヒヤッとした不快な感じや、直ぐに常温にもどってしまう、缶飲料の本質を、保温、保冷効果のあるウェット生地で、覆う事によって解決した物である。
【背景技術】
【０００２】  従来、缶飲料を室内、キャンプ、海などの行楽地などで飲む際、どれが自分の飲んでいた缶飲料なのか分らなくなり、夏場では、缶の回りに直ぐ結露が出来、滑りやすく、砂や草などのごみが缶飲料の周りを汚してしまい、大変、不衛生であり、冷たさは直ぐに無くなってしまう。又、冬場では、冷たい缶を持った不快な感じや、温かい缶飲料も、初めは火傷するほど暑く感じられても直ぐに常温に戻って、味も低下する。そして、従来の缶飲料ホルダーは、取り出してから巻きつけるタイプのものでは、巻きつける間に缶の冷たさや熱さに耐えなければならず、底部が無いので、そこから汚れたり、保温、保冷効果を完全には期待できない。又、差込タイプの物は、ホルダー自体に飲み口にあたる部分に切り込みがあり、指定されているので，其れに合わせて差し込まなければならず、大変煩わしく感じる。そして、従来の物は、いずれも、２本目、３本目と飲みかえるときに缶を取り出す事が用意ではなく大変不便さを生じた。
【発明が解決しようとする課題】
【０００３】  そこで、この発明は、缶飲料の持つ本質、冷たい飲料も、温かい飲料も直ぐに常温に戻ってしまいますので、最後の一口まで保温、保冷されたまま飲め、飲みたいと思い缶を手にしてから１秒もかからずに装着ができ、着脱の時も小さな子供でも行えるように大変手軽であり、自分の缶飲料が誰の目からも一目瞭然である缶飲料を覆うホルダーを提供することを課題とする。
【課題を解決するための手段】
【０００４】    本発明は、上記課題を解決するために以下に説明する。
（イ）マリンスポーツ全般に用いる、ウェット生地で底部のある缶にフィットする。筒型を作る。
（ロ）底部には、着脱しやすいように底部に、穴を空ける。
（ハ）ウェット生地は、軟らかく、大変軽く、衝撃に強いので簡単に缶飲料を着脱できる。
（ニ）防水性が強いウェット生地なので、飲み続けていても、汚す事が無く衛生的である。
（ホ）ウェット生地は、空気の進入が無いので大変保温、保冷効果があり、最後の一口まで味の低下が無い。
（ヘ）ウェット生地は、クッション性があるので、不快な缶飲料の冷たさや熱さを感じる事がない。
（ト）着脱を容易に行う為、底部のある筒型は、３５０ｍｌの缶飲料よりも低くする。
（チ）ウェット生地は、カラーバリエーションも大変多く、印刷加工もできるので自分の物が一目瞭然でわかる。
【産業上の利用可能性】  このウェット生地を作った缶飲料ホルダーは、カラーバリエーションも豊富な上、印刷加工や転写などが簡単に出来るので年齢を問わず自分の好みに合ったものが必ず見つかる。なお、若い方ならまた違った生地をホルダーの回りに付ける事により、さらにファッション性にすぐれ、高級志向の方などにはホルダーの回りに皮などの高級生地を付けることによりさらに高級感もえられ、発明の目的を達することはできる。
【発明を実施するための最良の形態】
【０００５】  次に本発明の実施の形態を述べると、冷蔵庫から取り出された物は常に常温に戻ろうとする。従って、筒型（１）に缶をさし込む事により、最後の一口まで保温されたまま飲む事ができる。なお、耐熱グラス・湯飲みなどを、筒型（１）に差し込み、電子レンジなどで牛乳・酒などを熱して使っても、目的を達する事はできる。
【発明の効果】
【０００６】  だから、筒型（１）に缶・グラスを差し込む事により冷たい飲料は冷たいままに、温かい飲料は手をやけどする事なく最後の一口までおいしく飲む事ができる。海・キャンプなどの行楽地でもビールなどを飲む際、結露によって缶飲料が汚れる事なく、かつ必要に応じて色を変えたり、広告宣伝、キャラクターなどの印刷加工及び転写などにより、自分の物をわかりやすく、かつファッション性にもすぐれている。
【図面の簡単な説明】
【０００７】
【図１】本発明の外観図
【図２】本発明の底部
【図１】
2006248608.tif 000003
【図２】
2006248608.tif 000004
(57)【要約】【課題】飲料等に使われているスチール缶及びアルミ缶は、底部と上蓋部が硬く強度もあり、使用後も製造時と同様の形状で集荷されている。そのため軽いにも関わらず運搬の量は限定されていた。【解決手段】缶製造の段階で缶の胴体に潰し線を打刻し、使用後は上蓋と底部を内側に押さえれば打刻した線に沿って簡単に折れる。更に潰し線が集合する箇所は、繋がずに離した状態なので薄い缶でも強度が保てるし、穴が空いて内容物が流れ出す事もない。【選択図】      図１
2006248609.tif 000002
【特許請求の範囲】
【請求項１】
缶に予め一定の長さと間隔を有する破線で溝状の潰し線を打刻しておき、使用後に手でも畳んで潰す事のできるスチール缶及びアルミ缶。
【請求項２】
缶の胴部に一定の長さと間隔を有する破線で溝状の潰し線の集合部を対峙させて打刻した事を特徴とする請求項１記載のスチール缶及びアルミ缶。
【発明の詳細な説明】
【技術分野】
【０００１】  本発明は、使用済み飲料缶の効率的回収に関する。
【背景技術】
【０００２】  従来の飲料用の缶には、使用後の回収について考慮されず、ほぼ製造時の形状で回収されているが、缶自体に溝を施し、圧縮すると言う提案もなされている。
（例えば、実用新案１参照。）。【０００３】  以下、図５によって従来の溝付き飲料缶に付いて説明する。
図５に於いて、飲料缶の胴部上下に溝を作るのみでは、スチール缶の場合、相当の力が必要で、圧縮にも手間取る。さらに、胴部の周囲に溝を施せば内容物の充填状態で自動販売機での使用、運搬には十分な強度が維持できない。
図６に於いては、缶の胴部を蛇腹状にして圧縮する方法だが、加工にコストが掛かるし、圧縮の効果も少ない。【０００４】
【実案文献１】
実用新案第３００５００８号（第１図）【特許文献１】  特開平６−１９９３４６（第１図）
【発明の開示】
【発明が解決しようとする課題】
【０００５】  以上に述べた従来の溝付き飲料缶では、圧縮するために手間と力が必要で、また、缶に必要な強度不足が発生する。【０００６】  本発明は、このような従来の構成が有していた課題を解決しようとするものであり、缶の強度を保ち乍らなおかつ使用後缶を簡単に折畳み、体積を減じて回収や運搬を効率的に行える飲料缶の実現を目的としたものである。
【課題を解決するための手段】
【０００７】  本発明は、缶自体に一定の長さと間隔を有する溝状の破線で潰し線を打刻して同一の形状に折り畳めるようにしたものである。【０００８】  図３に示すように各溝状の潰し線が集合する中央部は、接続ではなく対峙させる。このようにする事で集合部に穴が空いて内容物が漏れ出す事も防止できる。また、一定の長さと間隔を有する破線にする事で強度が保て、自販機内での落下および輸送や積み上げ等にも十分耐えられる。【０００９】  また、打刻する溝状の破線は全て、切り込みではなく圧迫に因って缶の厚みを減じる方法で実施する。
【発明の効果】
【００１０】  以下、本発明の実施の形態を図１〜図４に基づいて説明する。【００１１】  図に於いては、飲料缶の胴部１、缶蓋部２、缶底部３で、Ｖ字型で溝状の破線４、缶上部の胴部を一周する溝状の破線５、缶下部の胴部を一周する溝状の破線６、破線６から缶底部に向かって逆Ｖ字型で溝状の破線７、溝状の破線５、６の胴部中間を縦に打刻した復数本の溝状の破線８で構成されている。【００１２】  缶に打刻される一定の長さと間隔を有する溝状の破線は、缶体の長さ、太さによってその長さや位置は変化する。【００１３】  以下、上記の構成の動作を説明する。使用後、空になった缶を潰す際は、缶を地面等に寝かせて置き、胴部１を圧迫すると缶胴部の縦に打刻された溝状の破線８が山折れに変化し、同時に缶の胴部上下にある半周分の溝状の破線５、６が谷折れになる。先ず胴部が潰れることで強度のある缶蓋部および缶底部が向き合う状態に変化する。更にＶ字型で溝状の破線４、７が山折れになってより潰れやすくなる。
【産業上の利用可能性】
【００１４】  上述したように本発明の折れ線付き飲料缶は、缶の強度を保ち乍ら、空き缶時に簡単に潰すことができ、缶の回収、運搬をより効率的にする缶を提供できる。
【図面の簡単な説明】
【００１５】
【図１】  本発明の実施の形態を示す折れ線付き飲料缶の斜視図
【図２】  同潰れた状態を示す平面図
【図３】  同溝状の破線の集合部を示す拡大図
【図４】  実施例を示す斜視図
【図５】  従来の溝付き飲料缶の斜視図
【図６】  従来の溝付き飲料缶の斜視図
【符号の説明】
【００１６】１  飲料缶胴
２  上蓋部
３  缶底部
４  缶胴上部Ｖ字型潰し線
５  缶胴上部横潰し線
６  缶胴上部横潰し線
７  缶胴下部逆Ｖ字型折れ線
８  缶胴部縦潰し線
【図１】
2006248609.tif 000003
【図２】
2006248609.tif 000004
【図３】
2006248609.tif 000005
【図４】
2006248609.tif 000006
【図５】
2006248609.tif 000007
【図６】
2006248609.tif 000008
(57)【要約】【課題】本・ノート・楽譜などのページがめくれないように簡単に止められ、ページを閉じても直ぐにそのページが出せてじゃまにならないようにするために、ゴムを装着した薄く小さい本・ノート、楽譜などを止める専用クリップを提供する。【解決手段】クリップ本体１を薄く小さくすることによってじゃまにならない。表紙に取り付けるクリップ２をクリップ本体１に装着することによって、表紙にしっかりと固定される。また、クリップ本体１にページを止めるゴム３を装着することによってめくったページも手軽に止めることができ、本などを閉じてもすぐに止めてあるページが出せれるように便利にする。本などを開いたまま置いてもクリップを使用することで、勝手に閉じないようにする。【選択図】図１
2006248205.tif 000002
【特許請求の範囲】
【請求項１】
クリップ本体１を薄く小さく四角にしてページを止めるゴム３を装着することで、ページを簡単に止めることができるようにした点。
【請求項２】
クリップ本体１に表紙に取り付けるクリップ２を装着することで、表紙にしっかりと固定でき取り外しが可能にした点。
【発明の詳細な説明】
【技術分野】
【０００１】本発明は、本・ノート・楽譜などのページをじゃまにならずに止められるように、表紙の右肩または左肩に専用のクリップを取り付け、クリップに装着してあるゴムでページを止めるだけでめくれないようにしたものである。また、途中で本・ノート・楽譜などを閉じても、またすぐにそのページが出せるようにした。ページを変える時も表紙に取り付けるクリップ、クリップ本体をはずさないで済むようにした。
【背景技術】
【０００２】従来は、本・ノート・楽譜などに使用するゴムで止めるクリップは無かった。
【発明の開示】
【発明が解決しようとする課題】
【０００３】本・ノート・楽譜などの少し厚みのある物を止めるには大きなクリップが必要でありじゃまになるという難点があった。本・ノート・楽譜などのページをめくるたび又はページを変えるたびにクリップをはずさないといけないという不便さがある。本・ノート楽譜などの専用のクリップが無い。本発明は、この課題を解消するためになされたものである。
【課題を解決するための手段】
【０００４】クリップ本体１を薄く小さくすることによって、じゃまにならないようにした。またクリップ本体１にページを止めるゴム３を装着することによって、本・ノート・楽譜などのページをめくるたびまたはページをかえて他のページを出したいときに表紙に取り付けるクリップ２、クリップ本体１をはずさないで済む
【発明の効果】
【０００５】クリップ本体１が薄く小さいのでじゃまにならない。ゴム３を使用することで伸び縮みし、滑りにくくめくったページも手軽に止められる。本・ノート・楽譜などを閉じてもすぐにそのページが出せる。また、ページをめくるたびに、または、ページを変えるたびに表紙に取り付けるクリップ２、クリップ本体１をはずさないで済む。止めてあるページも簡単に戻すことも可能。以下本発明の実施の形態について説明する。
（イ）．クリップ本体１に表紙に取り付けるクリップ２とページを止めるゴム３を装着。
（ロ）．クリップ本体１の裏にクリップ本体につける裏側４を貼り付ける。
【実施例１】
【０００６】本・ノート・楽譜などの表紙の右肩または左肩にクリップ本体１に装着してある表紙に取り付けるクリップ２をつける。めくったページをページを止めるゴム３の下で止める。
【図面の簡単な説明】
【０００７】
【図１】本発明の平面図である。
【図２】本発明の使用状態を示す平面図である。
【符号の説明】
【０００９】１  クリップ本体
２  表紙に取り付けるクリップ
３  ページを止めるゴム
４  クリップ本体につける裏側
５  本・ノート・楽譜などの表紙
６  本・ノート・楽譜などのページ
【図１】
2006248205.tif 000003
【図２】
2006248205.tif 000004
(57)【要約】【課題】高濃度のホウ酸塩粉末を含み、長期間安定で適度の流動性を維持するペースト状の木材保存剤を低コストで実現する。【解決手段】ホウ酸塩粉末と水の混合物に安定化剤として少量の水溶性高分子を添加する。【選択図】なし【特許請求の範囲】
【請求項１】
４０重量％以上、７０重量％未満のホウ酸塩粉末と、２％以下の水溶性高分子と、水とを必須成分とする長期間安定なペースト状木材保存剤。
【請求項２】
請求項１においてホウ酸塩が実質的に八ホウ酸二ナトリウムであることを特徴とするペースト状木材保存剤。
【請求項３】
請求項１において水溶性高分子が実質的にカルボキシメチルセルロースであることを特徴とするペースト状木材保存剤。
【請求項４】
請求項１において水溶性高分子が実質的にポリエチレンオキサイドであることを特徴とするペースト状木材保存剤。
【発明の詳細な説明】
【技術分野】
【０００１】  本発明は木材を腐朽菌、食材性甲虫、シロアリ等の木材劣化生物から保護するための、ホウ酸塩を有効成分とするペースト状木材保存剤に関する。
【背景技術】
【０００２】  木材は再生可能な優れた建築材料として高く評価されているが、腐朽や虫害などの生物劣化を受けやすい欠点がある。この欠点を克服する手段として、真空や加圧のような物理的手段によって乾燥した製材中に保存剤を含む溶液や分散液を強制的に注入する方法や、未乾燥の製材中に、保存剤の濃度差を利用して水溶性保存剤を拡散浸透させる方法などが実施されている。【０００３】  しかし、上記の保存処理は、処理設備を備えた工場で実施するもので、既設の建造物などを構成する木質部材には適用できない。【０００４】  既設の建造物を構成する木質部材を劣化生物から保護する方法としては、対象とする木部にドリルで孔をあけ、水溶性ホウ素化合物を埋め込む方法がある。埋め込んだ水溶性ホウ素化合物は、木材が吸湿し生物劣化を蒙りやすい状況になると、水分を媒体として木材組織中を拡散し、劣化生物を制御することが出来る。【０００５】  例をあげれば、八ホウ酸二ナトリウム（Ｎａ２Ｂ８Ｏ１３）を１２００℃前後の高温で溶融し、型に入れて直径数ミリから十数ミリの棒状に成形したものは、ボロンロッドとして市販されている。また、八ホウ酸二ナトリウムを高温でエチレングリコールやプロピレングリコールと縮合反応した粘性液を使い捨ての注入器に充填したものも市販されている。前者では、ロッドを注入孔に挿入し、後者では注入孔に粘性液を注入した後栓で入口を塞ぐ。【０００６】  これらの製品の性能は高く評価され、用途も拡大しているが、いずれの場合も製造コストが高いという欠点がある。また、グリコールとの縮合物では、流動性を確保するため、ホウ酸塩の含有率は、ホウ酸換算で４０％程度しかない。
【発明の開示】
【発明が解決しようとする課題】
【０００７】  本発明が解決しようとする課題は、製造コストが安く、しかもホウ酸塩換算で４０％以上のホウ酸塩を含有し、長期間にわたり適度の流動性と安定性を維持するホウ素系木材保存材の提供である。
【課題を解決するための手段】
【０００８】  本発明は、ホウ酸塩粉末、水、水溶性高分子を混合攪拌して均一なペーストにすることを最も主要な特徴とする。
【発明の効果】
【０００９】本発明のペーストでは、水溶性高分子の作用により、水中に高濃度で分散するホウ酸塩粒子は凝集して水相と分離することがなく、スラリーの分散性、流動性は長期間保持される。【００１０】  本発明でいうホウ酸塩とは、ホウ素のオキソ酸とその塩を総称するが、特に、ホウ酸、ホウ砂、八ホウ酸二ナトリウム、およびこれらの混合物があげられる。八ホウ酸二ナトリウムは水によく溶解し、また湿気を含んだ木材組織中を拡散しやすい点で特に優れている。【００１１】  本発明は、所定比率のホウ酸塩粉末、水、水溶性高分子を混合攪拌して均一なスラリーを調整するが、場合によっては、始めに水溶性高分子を水に溶解し、この溶液にホウ酸塩粉末を加えて混合してもよい。また、溶液を安定化し、木材組織中でのホウ酸塩の拡散を促進する目的で少量の糖アルコール、エチレングリコール、グリセリン、ポリアルキレングリコールなどを添加してもよい。【００１２】  本発明のスラリーを構成する成分の割合は、ホウ酸塩粉末４０〜７０部、水６０〜３０部、水溶性高分子０．０１〜２部の範囲である。ホウ酸塩が上記割合より少ないと保存性能が低下し、また上記割合より多いと流動性が損なわれる。【００１３】  本発明のスラリーを構成する水溶性高分子は、文字通り水に溶ける高分子で、ホウ酸塩との適度の相互作用を有するカルボキシメチルセルロースや高分子量のポリエチレンオキサイド、ヒドロキシエチルセルロース等があげられる。ポリビニルアルコールは、ホウ酸塩とキレート結合する傾向が強すぎるため不適等である。【００１４】  本発明のスラリーを構成する水溶性高分子の割合は、水とホウ酸塩の合計を１００部とした場合、０．０１〜２部が好ましい。０．０１部より少ないと、スラリーの安定性が低下し、流動性も損なわれる。２部以上になると、スラリーが弾性を示すようになる。ただし、水溶性高分子の好ましい割合は、ポリエチレンオキサイドのように、分子量が大幅に変化しうる場合は、分子量によりかなり変動しうる。
【発明を実施するための最良の形態】
【００１５】本発明では、高濃度のホウ酸塩を含みながら、ホウ酸塩粒子が安定して分散し、適度の流動性を長期間保持できるスラリーを、水とホウ酸塩粒子の混合物に少量の水溶性高分子を添加することで実現した。
【実施例１】
【００１６】  市販のカルボキシメチルセルロースナトリウム塩（ＣＭＣ）を水に溶解し、０．４重量パーセントの水溶液を調製した。この水溶液とＵ．Ｓ．Ｂｏｒａｘ社製の八ホウ酸二ナトリウム四水和物（商品名Ｔｉｍｂｏｒ）を所定の割合で混合し、乳鉢に入れてペースト状に練りあげたものを、蓋付きのガラス瓶に入れ保管し、定期的に観察した。結果を表１に示す。【００１７】
【表１】
2006248206.tif 000002
【００１８】  表１の結果から明らかなように、水溶性高分子物質のＣＭＣを添加することにより、八ホウ酸二ナトリウム四水塩６２．５重量パーセントを含むペーストは２ヶ月以上にわたり安定した分散性と流動性とを維持できた。水溶性高分子を添加しない比較例では、数日で八ホウ酸二ナトリウム四水塩の粒子は水相と完全に分離して沈降し、粒子同士が結合・固化して流動性は失われる。
【産業上の利用可能性】
【００１９】  本発明のペースト状木材保存剤は、高濃度のホウ酸塩（固形分）を含みながら長期間流動性を維持するので、木質材料の保存処理に効果的である。例えば、本発明のペーストを注入ノズル付きチューブに入れておけば、劣化の危険性のある木質部材にドリルに孔をあけ、この孔にノズルからペーストを注入・充満することにより、長期間にわたり該木質部材を生物劣化から保護できる。